(57)【特許請求の範囲】
【請求項１】
位置検出装置によって検出された現在位置の周辺の施設をブランドにかかわらず検索する第１検索部と、
前記第１検索部によって検索された施設に対応するブランドを、検索画面にアイコンを表示させるブランドとして決定するブランド決定部と、
前記ブランド決定部によって決定されたブランドのアイコンを、前記検索画面に表示させるアイコン表示制御部と、
前記検索画面に表示されたいずれかのアイコンが選択されると、選択されたアイコンに対応するブランドの施設を前記現在位置の周辺から検索する第２検索部と、
前記検索画面にアイコンを表示させるジャンルと、各ジャンルのアイコンの表示件数ｎ（ｎは１以上の整数）とを、設定情報に基づいて特定する特定部とを備え、
前記ブランド決定部は、前記特定部によって特定されたジャンル毎に、前記第１検索部によって検索された施設に対応するブランドの中から、前記特定部によって特定された前記表示件数ｎ件のブランドを、前記検索画面にアイコンを表示させるブランドとして決定し、
前記アイコン表示制御部は、前記特定部によって特定されたジャンル毎に、前記ブランド決定部によって決定された前記表示件数ｎ件のブランドのアイコンを、前記検索画面に表示させる
ことを特徴とする表示制御装置。
【請求項２】
ジャンル毎に、前記検索画面にアイコンを表示させるブランドの再決定条件として、地域に関する単位を予め記憶するジャンル別条件記憶部をさらに備え、
前記現在位置がある地域が切り替わったことをトリガとして、前記特定部によって特定されたジャンルのうち、当該切り替わった地域の単位に対応付けられているジャンルを対象として、
前記第１検索部が、前記現在位置の周辺の施設を再検索し、
前記ブランド決定部が、前記第１検索部によって再検索された施設に対応するブランドを、前記検索画面にアイコンを表示させるブランドとして再決定する
ことを特徴とする請求項１に記載の表示制御装置。
【請求項３】
位置検出装置によって検出された現在位置の周辺の施設をブランドにかかわらず検索する第１検索部と、
前記第１検索部によって検索された施設に対応するブランドを、検索画面にアイコンを表示させるブランドとして決定するブランド決定部と、
前記ブランド決定部によって決定されたブランドのアイコンを、前記検索画面に表示させるアイコン表示制御部と、
前記検索画面に表示されたいずれかのアイコンが選択されると、選択されたアイコンに対応するブランドの施設を前記現在位置の周辺から検索する第２検索部とを備え、
前記ブランド決定部は、前記第１検索部によって検索された施設に対応するブランドの中から、所定の優先条件による優先度の高い順に、前記検索画面にアイコンを表示させるブランドを決定する
ことを特徴とする表示制御装置。
【請求項４】
前記ブランド決定部は、前記第１検索部によって検索された施設の件数が多いブランドほど優先度が高くなる前記優先条件を用いて、当該優先条件による優先度の高い順に、前記検索画面にアイコンを表示させるブランドを決定する
ことを特徴とする請求項３に記載の表示制御装置。
【請求項５】
前記ブランド決定部は、前記第１検索部によって検索された施設の前記現在位置からの距離が近いブランドほど優先度が高くなる前記優先条件を用いて、当該優先条件による優先度の高い順に、前記検索画面にアイコンを表示させるブランドを決定する
ことを特徴とする請求項３に記載の表示制御装置。
【請求項６】
前記ブランド決定部は、前記第１検索部によって検索された施設に駐車場が設けられているブランドほど優先度が高くなる前記優先条件を用いて、当該優先条件による優先度の高い順に、前記検索画面にアイコンを表示させるブランドを決定する
ことを特徴とする請求項３に記載の表示制御装置。
【請求項７】
前記ブランド決定部は、ユーザのお気に入りとして予め登録されているブランドほど優先度が高くなる前記優先条件を用いて、当該優先条件による優先度の高い順に、前記検索画面にアイコンを表示させるブランドを決定する
ことを特徴とする請求項３に記載の表示制御装置。
【請求項８】
位置検出装置によって検出された現在位置の周辺の施設をブランドにかかわらず検索する第１検索部と、
前記第１検索部によって検索された施設に対応するブランドを、検索画面にアイコンを表示させるブランドとして決定するブランド決定部と、
前記ブランド決定部によって決定されたブランドのアイコンを、前記検索画面に表示させるアイコン表示制御部と、
前記検索画面に表示されたいずれかのアイコンが選択されると、選択されたアイコンに対応するブランドの施設を前記現在位置の周辺から検索する第２検索部と、
前記検索画面にアイコンを表示させるジャンルと、各ジャンルのアイコンの表示件数ｎ（ｎは１以上の整数）とを、設定情報に基づいて特定する特定部とを備え、
前記ブランド決定部は、前記特定部によって特定されたジャンル毎に、前記第１検索部によって検索された施設に対応するブランドの中から、所定の優先条件による優先度の高い順に、前記特定部によって特定された前記表示件数ｎ件のブランドを、前記検索画面にアイコンを表示させるブランドとして決定し、
前記アイコン表示制御部は、前記特定部によって特定されたジャンル毎に、前記ブランド決定部によって決定された前記表示件数ｎ件のブランドのアイコンを、前記検索画面に表示させる
ことを特徴とする表示制御装置。
【請求項９】
前記ブランド決定部は、前記第１検索部によって検索された施設の件数が多いブランドほど優先度が高くなる前記優先条件を用いて、前記特定部によって特定されたジャンル毎に、当該優先条件による優先度の高い順に、前記表示件数ｎ件のブランドを、前記検索画面にアイコンを表示させるブランドとして決定する
ことを特徴とする請求項８に記載の表示制御装置。
【請求項１０】
前記ブランド決定部は、前記第１検索部によって検索された施設の前記現在位置からの距離が近いブランドほど優先度が高くなる前記優先条件を用いて、前記特定部によって特定されたジャンル毎に、当該優先条件による優先度の高い順に、前記表示件数ｎ件のブランドを、前記検索画面にアイコンを表示させるブランドとして決定する
ことを特徴とする請求項８に記載の表示制御装置。
【請求項１１】
前記ブランド決定部は、前記第１検索部によって検索された施設に駐車場が設けられているブランドほど優先度が高くなる前記優先条件を用いて、前記特定部によって特定されたジャンル毎に、当該優先条件による優先度の高い順に、前記表示件数ｎ件のブランドを、前記検索画面にアイコンを表示させるブランドとして決定する
ことを特徴とする請求項８に記載の表示制御装置。
【請求項１２】
前記ブランド決定部は、ユーザのお気に入りとして予め登録されているブランドほど優先度が高くなる前記優先条件を用いて、前記特定部によって特定されたジャンル毎に、当該優先条件による優先度の高い順に、前記表示件数ｎ件のブランドを、前記検索画面にアイコンを表示させるブランドとして決定する
ことを特徴とする請求項８に記載の表示制御装置。
【請求項１３】
位置検出装置によって検出された現在位置の周辺の施設をブランドにかかわらず検索する第１検索部と、
前記第１検索部によって検索された施設に対応するブランドを、検索画面にアイコンを表示させるブランドとして決定するブランド決定部と、
前記ブランド決定部によって決定されたブランドのアイコンを、前記検索画面に表示させるアイコン表示制御部と、
前記検索画面に表示されたいずれかのアイコンが選択されると、選択されたアイコンに対応するブランドの施設を前記現在位置の周辺から検索する第２検索部とを備え、
前記現在位置がある地域が切り替わったことをトリガとして、
前記第１検索部が、前記現在位置の周辺の施設を再検索し、
前記ブランド決定部が、前記第１検索部によって再検索された施設に対応するブランドを、前記検索画面にアイコンを表示させるブランドとして再決定する
ことを特徴とする表示制御装置。
【請求項１４】
位置検出装置によって検出された現在位置の周辺の施設をブランドにかかわらず検索する第１検索部と、
前記第１検索部によって検索された施設に対応するブランドを、検索画面にアイコンを表示させるブランドとして決定するブランド決定部と、
前記ブランド決定部によって決定されたブランドのアイコンを、前記検索画面に表示させるアイコン表示制御部と、
前記検索画面に表示されたいずれかのアイコンが選択されると、選択されたアイコンに対応するブランドの施設を前記現在位置の周辺から検索する第２検索部とを備え、
前記検索画面を表示するための所定の操作がなされたことをトリガとして、
前記第１検索部が、前記現在位置の周辺の施設を再検索し、
前記ブランド決定部が、前記第１検索部によって再検索された施設に対応するブランドを、前記検索画面にアイコンを表示させるブランドとして再決定し、
前記アイコン表示制御部が、前記ブランド決定部によって決定されたブランドのアイコンを、前記検索画面に表示させる
ことを特徴とする表示制御装置。
【請求項１５】
表示制御装置の第１検索部が、位置検出装置によって検出された現在位置の周辺の施設をブランドにかかわらず検索する第１検索工程と、
前記表示制御装置のブランド決定部が、前記第１検索工程にて検索された施設に対応するブランドを、検索画面にアイコンを表示させるブランドとして決定するブランド決定工程と、
前記表示制御装置のアイコン表示制御部が、前記ブランド決定工程にて決定されたブランドのアイコンを、前記検索画面に表示させるアイコン表示制御工程と、
前記表示制御装置の第２検索部が、前記検索画面に表示されたいずれかのアイコンが選択されると、選択されたアイコンに対応するブランドの施設を前記現在位置の周辺から検索する第２検索工程とを含み、
前記ブランド決定工程において、前記ブランド決定部は、前記検索画面にアイコンを表示させるジャンルと、各ジャンルのアイコンの表示件数ｎ（ｎは１以上の整数）とを、設定情報に基づいて特定する前記表示制御装置の特定部によって特定されたジャンル毎に、前記第１検索部によって検索された施設に対応するブランドの中から、前記特定部によって特定された前記表示件数ｎ件のブランドを、前記検索画面にアイコンを表示させるブランドとして決定し、
前記アイコン表示制御工程において、前記アイコン表示制御部は、前記特定部によって特定されたジャンル毎に、前記ブランド決定部によって決定された前記表示件数ｎ件のブランドのアイコンを、前記検索画面に表示させる
ことを特徴とする表示制御方法。
【請求項１６】
表示制御装置の第１検索部が、位置検出装置によって検出された現在位置の周辺の施設をブランドにかかわらず検索する第１検索工程と、
前記表示制御装置のブランド決定部が、前記第１検索工程にて検索された施設に対応するブランドを、検索画面にアイコンを表示させるブランドとして決定するブランド決定工程と、
前記表示制御装置のアイコン表示制御部が、前記ブランド決定工程にて決定されたブランドのアイコンを、前記検索画面に表示させるアイコン表示制御工程と、
前記表示制御装置の第２検索部が、前記検索画面に表示されたいずれかのアイコンが選択されると、選択されたアイコンに対応するブランドの施設を前記現在位置の周辺から検索する第２検索工程とを含み、
前記ブランド決定工程において、前記ブランド決定部は、前記第１検索部によって検索された施設に対応するブランドの中から、所定の優先条件による優先度の高い順に、前記検索画面にアイコンを表示させるブランドを決定する
ことを特徴とする表示制御方法。
【請求項１７】
表示制御装置の第１検索部が、位置検出装置によって検出された現在位置の周辺の施設をブランドにかかわらず検索する第１検索工程と、
前記表示制御装置のブランド決定部が、前記第１検索工程にて検索された施設に対応するブランドを、検索画面にアイコンを表示させるブランドとして決定するブランド決定工程と、
前記表示制御装置のアイコン表示制御部が、前記ブランド決定工程にて決定されたブランドのアイコンを、前記検索画面に表示させるアイコン表示制御工程と、
前記表示制御装置の第２検索部が、前記検索画面に表示されたいずれかのアイコンが選択されると、選択されたアイコンに対応するブランドの施設を前記現在位置の周辺から検索する第２検索工程とを含み、
前記ブランド決定工程において、前記ブランド決定部は、前記検索画面にアイコンを表示させるジャンルと、各ジャンルのアイコンの表示件数ｎ（ｎは１以上の整数）とを、設定情報に基づいて特定する前記表示制御装置の特定部によって特定されたジャンル毎に、前記第１検索部によって検索された施設に対応するブランドの中から、所定の優先条件による優先度の高い順に、前記特定部によって特定された前記表示件数ｎ件のブランドを、前記検索画面にアイコンを表示させるブランドとして決定し、
前記アイコン表示制御工程において、前記アイコン表示制御部は、前記特定部によって特定されたジャンル毎に、前記ブランド決定部によって決定された前記表示件数ｎ件のブランドのアイコンを、前記検索画面に表示させる
ことを特徴とする表示制御方法。
【請求項１８】
表示制御装置の第１検索部が、位置検出装置によって検出された現在位置の周辺の施設をブランドにかかわらず検索する第１検索工程と、
前記表示制御装置のブランド決定部が、前記第１検索工程にて検索された施設に対応するブランドを、検索画面にアイコンを表示させるブランドとして決定するブランド決定工程と、
前記表示制御装置のアイコン表示制御部が、前記ブランド決定工程にて決定されたブランドのアイコンを、前記検索画面に表示させるアイコン表示制御工程と、
前記表示制御装置の第２検索部が、前記検索画面に表示されたいずれかのアイコンが選択されると、選択されたアイコンに対応するブランドの施設を前記現在位置の周辺から検索する第２検索工程とを含み、更に、
前記現在位置がある地域が切り替わったことをトリガとして、
前記第１検索部が、前記現在位置の周辺の施設を再検索する工程と、
前記ブランド決定部が、前記第１検索部によって再検索された施設に対応するブランドを、前記検索画面にアイコンを表示させるブランドとして再決定する工程とを含む
ことを特徴とする表示制御方法。
【請求項１９】
表示制御装置の第１検索部が、位置検出装置によって検出された現在位置の周辺の施設をブランドにかかわらず検索する第１検索工程と、
前記表示制御装置のブランド決定部が、前記第１検索工程にて検索された施設に対応するブランドを、検索画面にアイコンを表示させるブランドとして決定するブランド決定工程と、
前記表示制御装置のアイコン表示制御部が、前記ブランド決定工程にて決定されたブランドのアイコンを、前記検索画面に表示させるアイコン表示制御工程と、
前記表示制御装置の第２検索部が、前記検索画面に表示されたいずれかのアイコンが選択されると、選択されたアイコンに対応するブランドの施設を前記現在位置の周辺から検索する第２検索工程とを含み、更に、
前記検索画面を表示するための所定の操作がなされたことをトリガとして、
前記第１検索部が、前記現在位置の周辺の施設を再検索する工程と、
前記ブランド決定部が、前記第１検索部によって再検索された施設に対応するブランドを、前記検索画面にアイコンを表示させるブランドとして再決定する工程と、
前記アイコン表示制御部が、前記ブランド決定部によって決定されたブランドのアイコンを、前記検索画面に表示させる工程とを含む
ことを特徴とする表示制御方法。
【発明の詳細な説明】
【技術分野】
【０００１】
本発明は、表示制御装置および表示制御方法に関し、特に、検索画面に表示されたブランドのアイコンが選択されるとそのアイコンに対応するブランドの施設を自車位置の周辺から検索するようになされた表示制御装置および表示制御方法に用いて好適なものである。
【背景技術】
【０００２】
従来、ナビゲーション装置では、検索画面に所定の複数のブランドのアイコンを表示して、その中からいずれかのアイコンをユーザが選択すると、選択されたアイコンに対応するブランドの施設を車両の現在位置周辺から検索して、その検索結果を表示できるようになっている。これにより、検索画面にアイコンが表示されたブランドについては、そのアイコンをユーザが選択するだけで、現在位置の周辺に存在するそのブランドの施設を検索することができるようになっている。
【０００３】
この種のナビゲーション装置においては、予めメーカーが選択したブランドのアイコンが、検索画面に表示されるようになっている。また、ユーザが選択したお気に入りのブランドのアイコンが検索画面に表示されるように、検索画面をカスタマイズすることができる場合もある。
【０００４】
しかしながら、従来のナビゲーション装置では、メーカーまたはユーザによって選択されたブランドの施設が現在位置の周辺に存在しないにも関わらず、そのブランドのアイコンが検索画面に表示されてしまう場合がある。この場合、ユーザが、所望するブランドの施設が現在位置の周辺に存在しないことを知らずに、そのブランドのアイコンを無駄に選択してしまうといった問題が生じていた。
【０００５】
なお、下記特許文献１には、ナビゲーション装置において、所望のジャンル且つ所望のブランドのＰＯＩ（Point of interest）が判定対象領域に存在しない場合、同じジャンルの異なるブランドのＰＯＩが存在すれば、そのＰＯＩを判定対象領域の地図上に代替表示させる技術が開示されている。
【先行技術文献】
【特許文献】
【０００６】
【特許文献１】特開２０１３−２３８４１０号公報
【発明の概要】
【発明が解決しようとする課題】
【０００７】
本発明は、上述のような問題を解決するために成されたものであり、現在位置の周辺に施設が存在しないブランドのアイコンをユーザが無駄に選択してしまうことを防止することができるようにすることを目的とする。
【課題を解決するための手段】
【０００８】
上記した課題を解決するために、本発明では、位置検出装置によって検出された現在位置の周辺の施設を検索し、検索された施設に対応するブランドを、検索画面にアイコンを表示させるブランドとして決定する。そして、決定されたブランドのアイコンを検索画面に表示させ、検索画面に表示されたいずれかのアイコンが選択されると、選択されたアイコンに対応するブランドの施設を現在位置の周辺から検索するようにしている。その際、検索画面にアイコンを表示させるジャンルと、各ジャンルのアイコンの表示件数ｎ（ｎは１以上の整数）とを、設定情報に基づいて特定し、特定したジャンル毎に、第１検索部によって検索された施設に対応するブランドの中から、特定した表示件数ｎ件のブランドを、検索画面にアイコンを表示させるブランドとして決定し、特定したジャンル毎に、決定した表示件数ｎ件のブランドのアイコンを、検索画面に表示させるようにしている。また、別の態様では、その際、検索した施設に対応するブランドの中から、所定の優先条件による優先度の高い順に、検索画面にアイコンを表示させるブランドを決定するようにしている。また、別の態様では、その際、検索画面にアイコンを表示させるジャンルと、各ジャンルのアイコンの表示件数ｎ（ｎは１以上の整数）とを、設定情報に基づいて特定し、特定したジャンル毎に、第１検索部によって検索された施設に対応するブランドの中から、所定の優先条件による優先度の高い順に、特定した表示件数ｎ件のブランドを、検索画面にアイコンを表示させるブランドとして決定し、特定したジャンル毎に、決定した表示件数ｎ件のブランドのアイコンを、検索画面に表示させるようにしている。また、別の態様では、その際、現在位置がある地域が切り替わったことをトリガとして、現在位置の周辺の施設を再検索し、再検索した施設に対応するブランドを、検索画面にアイコンを表示させるブランドとして再決定するようにしている。また、別の態様では、その際、検索画面を表示するための所定の操作がなされたことをトリガとして、現在位置の周辺の施設を再検索し、再検索した施設に対応するブランドを、検索画面にアイコンを表示させるブランドとして再決定し、決定したブランドのアイコンを、検索画面に表示させるようにしている。
【発明の効果】
【０００９】
上記のように構成した本発明によれば、現在位置の周辺に施設が存在するブランドのアイコンのみが検索画面に表示されるようになる。したがって、本発明によれば、現在位置の周辺に施設が存在しないブランドのアイコンをユーザが無駄に選択してしまうことを防止することができる。
【図面の簡単な説明】
【００１０】
【図１】本発明の第１実施形態に係る車載装置の機能構成例を示すブロック図である。
【図２】本発明の第１実施形態に係る検索画面設定情報およびお気に入り設定情報の一例を示す図である。
【図３】本発明の第１実施形態に係る表示制御装置による処理の一例を示すフローチャートである。
【図４】本発明の第１実施形態に係る第１検索部による検索結果の一例を示す図である。
【図５】本発明の第１実施形態に係る車載装置が表示する検索画面の一例を示す図である。
【図６】本発明の第２実施形態に係る車載装置の機能構成例を示すブロック図である。
【図７】本発明の第２実施形態に係る表示制御装置による処理の一例を示すフローチャートである。
【図８】本発明の第３実施形態に係る車載装置の機能構成例を示すブロック図である。
【図９】本発明の第３実施形態に係るジャンル別条件記憶部に記憶されているジャンル別条件の一例を示す図である。
【図１０】本発明の第３実施形態に係る表示制御装置による処理の一例を示すフローチャートである。
【発明を実施するための形態】
【００１１】
以下、本発明の一実施形態を図面に基づいて説明する。図１は、本発明の第１実施形態に係る車載装置１０の機能構成例を示すブロック図である。図１に示す車載装置１０は、特許請求の範囲に記載の表示制御装置が実装された装置の一例であって、自動車等の車両に搭載されているナビゲーション装置である。なお、本発明の表示制御装置は、車載装置に実装されたものに限定されず、車載装置以外の他の装置（例えば、携帯端末等）に実装されたものであってもよい。
【００１２】
図１に示すように、車載装置１０は、ディスプレイ１１、タッチパネル１２、地図データ記憶部１３、位置検出装置１４、検索画面設定記憶部１５およびお気に入り設定記憶部１６を備えている。また、車載装置１０は、表示制御装置１００を備えている。
【００１３】
ディスプレイ１１は、各種情報（例えば、地図画面、周辺施設の検索画面、周辺施設の検索結果の表示画面等）を表示する。ディスプレイ１１には、例えば液晶ディスプレイ、有機ＥＬディスプレイ等が用いられる。タッチパネル１２は、各種操作（例えば、後述する検索画面設定情報の入力操作、後述するお気に入り設定情報の入力操作、検索画面の表示指示操作、検索画面におけるブランドのアイコンの選択操作等）を行うための操作部の一例である。
【００１４】
地図データ記憶部１３は、地図データを記憶する。当該地図データには、複数の施設の施設データが含まれている。各施設データは、ジャンル、ブランド名、施設名、位置情報（緯度経度等）、駐車場の有無等の情報を含んで構成されている。
【００１５】
位置検出装置１４は、車載装置１０が搭載されている車両の現在位置を検出する。位置検出装置１４は、例えば、ＧＰＳ（Global Positioning System）と自律航法ユニットとを備えて構成されている。
【００１６】
検索画面設定記憶部１５は、検索画面設定情報を記憶する。検索画面設定情報は、検索画面にアイコンを表示させるジャンル、および、各ジャンルのアイコンの表示件数ｎ（ｎは１以上の整数）が示された情報である。なお、検索画面設定情報の詳細については、図２を用いて後述する。
【００１７】
お気に入り設定記憶部１６は、お気に入り設定情報を記憶する。お気に入り設定情報は、ユーザのお気に入りのブランドがジャンル毎に示された情報である。なお、お気に入り設定情報の詳細については、図２を用いて後述する。
【００１８】
表示制御装置１００は、ディスプレイ１１による各種情報の表示を制御する。例えば、表示制御装置１００は、検索画面を表示するための所定の操作（例えば、図５に示す「ＰＯＩ」ボタン５３０の選択操作）がなされたとき、複数のブランドのアイコンが表示された検索画面（図５参照）をディスプレイ１１に表示させる。また、表示制御装置１００は、検索画面にていずれかのブランドのアイコンが選択されると、車両の現在位置の周辺からそのブランドの施設を検索して、その検索結果（車両の現在位置の周辺の施設）をディスプレイ１１に表示させる。
【００１９】
表示制御装置１００は、その機能構成として、検索画面設定登録部１０１、お気に入り設定登録部１０２、特定部１０３、第１検索部１０４、ブランド決定部１０５、ブランド記憶部１０６、検索画面表示指示受付部１０７、アイコン表示制御部１０８、アイコン選択受付部１０９、第２検索部１１０および検索結果表示制御部１１１を有している。
【００２０】
上記各機能ブロック１０１〜１１１は、ハードウェア、ＤＳＰ（Digital Signal Processor）、ソフトウェアの何れによっても構成することが可能である。例えばソフトウェアによって構成する場合、上記各機能ブロック１０１〜１１１は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００２１】
検索画面設定登録部１０１は、タッチパネル１２のユーザ操作によって検索画面にアイコンを表示させるジャンル、および、各ジャンルのアイコンの表示件数ｎの設定がなされると、その設定内容が示された検索画面設定情報を検索画面設定記憶部１５に登録する。これにより、検索画面設定記憶部１５に検索画面設定情報が記憶される。
【００２２】
お気に入り設定登録部１０２は、タッチパネル１２のユーザ操作によってジャンル毎のお気に入りのブランドの設定がなされると、その設定内容が示されたお気に入り設定情報をお気に入り設定記憶部１６に登録する。これにより、お気に入り設定記憶部１６にお気に入り設定情報が記憶される。
【００２３】
特定部１０３は、検索画面にアイコンを表示させるジャンルと、各ジャンルのアイコンの表示件数ｎとを、検索画面設定記憶部１５に記憶されている検索画面設定情報に基づいて特定する。例えば、図２（ａ）に示すように検索画面設定情報が設定されている場合、特定部１０３は、検索画面にアイコンを表示させるジャンルとして、「コンビニ」,「ファーストフード」，「ガソリンスタンド」，「ファミレス」，「回転寿司」を特定する。また、特定部１０３は、「コンビニ」，「ファミレス」，「回転寿司」の各々について、アイコンの表示件数ｎとして「２」を特定する。また、特定部１０３は、「ファーストフード」，「ガソリンスタンド」の各々について、アイコンの表示件数ｎとして「１」を特定する。
【００２４】
第１検索部１０４は、位置検出装置１４によって検出された車両の現在位置の周辺の施設（例えば、車両の現在位置から所定の距離以内の施設、または、車両の現在位置から所定の走行時間以内の施設）を検索する。特に、本実施形態では、第１検索部１０４は、特定部１０３によって特定されたジャンル毎に、車両の現在位置の周辺の施設を検索する。
【００２５】
ブランド決定部１０５は、第１検索部１０４によって検索された施設に対応するブランドを、検索画面にアイコンを表示させるブランドとして決定する。特に、本実施形態では、ブランド決定部１０５は、特定部１０３によって特定されたジャンル毎に、第１検索部１０４によって検索された施設に対応するブランドの中から、所定の優先条件による優先度の高い順に、特定部１０３によって特定された表示件数ｎ件のブランドを、検索画面にアイコンを表示させるブランドとして決定する。
【００２６】
例えば、ブランド決定部１０５は、ジャンル「コンビニ」，「ファミレス」，「回転寿司」については、優先度の高い順に２件のブランドを、検索画面にアイコンを表示させるブランドとして決定する。また、ブランド決定部１０５は、ジャンル「ファーストフード」，「ガソリンスタンド」については、優先度の高い順に１件のブランドを、検索画面にアイコンを表示させるブランドとして決定する。
【００２７】
優先条件の第１例として、ブランド決定部１０５は、第１検索部１０４によって検索された施設に対応するブランドの中から、検索された件数が多いブランドほど優先度が高くなる優先条件を用いて、特定部１０３によって特定されたジャンル毎に、当該優先条件による優先度の高い順に、特定部１０３によって特定された表示件数ｎ件のブランドを、検索画面にアイコンを表示させるブランドとして決定する。
【００２８】
優先条件の第２例として、ブランド決定部１０５は、第１検索部１０４によって検索された施設に対応するブランドの中から、車両の現在位置からの距離が近い施設があるブランドほど優先度が高くなる優先条件を用いて、特定部１０３によって特定されたジャンル毎に、当該優先条件による優先度の高い順に、特定部１０３によって特定された表示件数ｎ件のブランドを、検索画面にアイコンを表示させるブランドとして決定する。
【００２９】
優先条件の第３例として、ブランド決定部１０５は、第１検索部１０４によって検索された施設に対応するブランドの中から、駐車場が設けられている施設があるブランドほど優先度が高くなる優先条件を用いて、特定部１０３によって特定されたジャンル毎に、当該優先条件による優先度の高い順に、特定部１０３によって特定された表示件数ｎ件のブランドを、検索画面にアイコンを表示させるブランドとして決定する。
【００３０】
優先条件の第４例として、ブランド決定部１０５は、第１検索部１０４によって検索された施設に対応するブランドの中から、ユーザのお気に入りとしてお気に入り設定情報（図２（ｂ）参照）に予め登録されているブランドほど優先度が高くなる優先条件を用いて、特定部１０３によって特定されたジャンル毎に、当該優先条件による優先度の高い順に、特定部１０３によって特定された表示件数ｎ件のブランドを、検索画面にアイコンを表示させるブランドとして決定する。
【００３１】
なお、ブランド決定部１０５は、１つの優先条件を用いて各ブランドの優先度を決定してもよく、複数の優先条件を用いて各ブランドの優先度を決定してもよい。
【００３２】
ブランド記憶部１０６は、ブランド決定部１０５によって決定された、検索画面にアイコンを表示させるブランドを記憶する。特に、本実施形態では、ブランド記憶部１０６は、特定部１０３によって特定されたジャンル毎に、ブランド決定部１０５によって決定されたｎ件（ｎ＝特定部１０３によって特定された表示件数）のブランドを記憶する。
【００３３】
なお、本実施形態では、第１検索部１０４は、位置検出装置１４によって検出された車両の現在位置がある所定単位の地域（例えば、「県」）が切り替わったことをトリガとして、当該現在位置の周辺の施設を再検索する。これに応じて、ブランド決定部１０５が、第１検索部１０４によって再検索された施設に対応するブランドを、検索画面にアイコンを表示させるブランドとして再決定する。そして、ブランド記憶部１０６が、ブランド決定部１０５によって再決定されたブランドを記憶する。
【００３４】
検索画面表示指示受付部１０７は、タッチパネル１２のユーザ操作による、検索画面を表示するための所定の操作（例えば、図５に示す「ＰＯＩ」ボタン５３０の選択操作）を、検索画面の表示指示として受け付ける。
【００３５】
アイコン表示制御部１０８は、検索画面表示指示受付部１０７が検索画面の表示指示を受け付けると、そのときにブランド記憶部１０６に記憶されているブランドを、検索画面にアイコンを表示させるブランドとして特定する。そして、アイコン表示制御部１０８は、特定したブランドのアイコンを検索画面に表示させる。特に、本実施形態では、アイコン表示制御部１０８は、特定部１０３によって特定されたジャンル毎に、特定部１０３によって特定された表示件数ｎ件について、ブランド決定部１０５によって決定されたブランドのアイコンを検索画面に表示させる。なお、検索画面へのブランドのアイコンの表示例については、図５を用いて後述する。
【００３６】
アイコン選択受付部１０９は、タッチパネル１２のユーザ操作による、検索画面に表示された複数のブランドのアイコンの中からの任意のブランドのアイコンの選択を受け付ける。
【００３７】
第２検索部１１０は、検索画面に表示されたいずれかのブランドのアイコンの選択をアイコン選択受付部１０９が受け付けると、地図データ記憶部１３に記憶されている地図データに基づいて、位置検出装置１４によって検出された車両の現在位置の周辺（例えば、車両の現在位置から所定の距離以内、または、車両の現在位置から所定の走行時間以内）から、選択されたアイコンに対応するブランドの施設を検索する。
【００３８】
検索結果表示制御部１１１は、第２検索部１１０によって検索された施設をディスプレイ１１に表示させる。ユーザは、タッチパネル１２を操作して、ディスプレイ１１に表示された任意の施設を選択することにより、その施設の詳細情報（例えば、地図画面上の位置、住所、電話番号等）を確認したり、その施設を目的地に設定したりすることができる。
【００３９】
〔検索画面設定情報およびお気に入り設定情報の一例〕
図２は、本発明の第１実施形態に係る検索画面設定情報およびお気に入り設定情報の一例を示す図である。図２（ａ）は、検索画面設定記憶部１５に記憶されている検索画面設定情報の一例を示す図である。図２（ｂ）は、お気に入り設定記憶部１６に記憶されているお気に入り設定情報の一例を示す図である。
【００４０】
図２（ａ）に示すように、検索画面設定情報には、アイコンを表示させるジャンルと、各ジャンルのアイコンの表示件数ｎとが設定されている。ユーザは、タッチパネル１２を操作して、この検索画面設定情報に対し、アイコンを表示させるジャンルと、各ジャンルのアイコンの表示件数ｎとを任意に設定することができる。図２（ａ）に示す例では、検索画面に表示されるアイコンの数が８個であるため（図５参照）、アイコンの表示件数の合計が８となるように、各ジャンルのアイコンの表示件数ｎが設定されている。特定部１０３は、この検索画面設定情報に基づいて、アイコンを表示させるジャンルと、各ジャンルのアイコンの表示件数ｎとを特定する。
【００４１】
一方、図２（ｂ）に示すように、お気に入り設定情報には、各ジャンルに対するユーザのお気に入りのブランドが設定されている。ユーザは、タッチパネル１２を操作して、このお気に入り設定情報に対し、各ジャンルに対するお気に入りのブランドを任意に設定することができる。ブランド決定部１０５は、このお気に入り設定情報に基づいて、ユーザがお気に入りのブランドの優先度を高めて、検索画面にアイコンを表示させるブランドを決定することができる。
【００４２】
〔表示制御装置１００による処理の一例〕
図３は、本発明の第１実施形態に係る表示制御装置１００による処理の一例を示すフローチャートである。図３に示す処理は、例えば、表示制御装置１００の電源がＯＮに切り替えられたタイミングで実行される。
【００４３】
まず、特定部１０３が、検索画面にアイコンを表示させるジャンルと、各ジャンルのアイコンの表示件数ｎとを、検索画面設定記憶部１５に記憶されている検索画面設定情報に基づいて特定する（ステップＳ３０２）。次に、第１検索部１０４が、ステップＳ３０２で特定されたジャンル毎に、車両の現在位置の周辺の施設を検索する（ステップＳ３０４）。
【００４４】
次に、ブランド決定部１０５が、ステップＳ３０２で特定されたジャンル毎に、ステップＳ３０４で検索された施設に対応するブランドの中から、所定の優先条件による優先度の高い順に、ステップＳ３０２で特定された表示件数ｎ件のブランドを、検索画面にアイコンを表示させるブランドとして決定する（ステップＳ３０６）。
【００４５】
そして、ブランド記憶部１０６が、ステップＳ３０２で特定されたジャンル毎に、ステップＳ３０６でブランド決定部１０５によって決定されたｎ件のブランドを記憶する（ステップＳ３０８）。
【００４６】
その後、第１検索部１０４が、車両の現在位置がある所定単位の地域（例えば、「県」）が切り替わったか否かを判断する（ステップＳ３１０）。ここで、車両の現在位置がある所定単位の地域が切り替わったと第１検索部１０４が判断した場合（ステップＳ３１０：Ｙｅｓ）、表示制御装置１００は、ステップＳ３０４以降の処理を再度実行する。一方、車両の現在位置がある所定単位の地域が切り替わっていないと第１検索部１０４が判断した場合（ステップＳ３１０：Ｎｏ）、検索画面表示指示受付部１０７が、検索画面の表示指示を受け付けたか否かを判断する（ステップＳ３１２）。
【００４７】
ここで、検索画面の表示指示を受け付けていないと検索画面表示指示受付部１０７が判断した場合（ステップＳ３１２：Ｎｏ）、表示制御装置１００は、ステップＳ３１０以降の処理を再度実行する。一方、検索画面の表示指示を受け付けたと検索画面表示指示受付部１０７が判断した場合（ステップＳ３１２：Ｙｅｓ）、アイコン表示制御部１０８が、そのときにブランド記憶部１０６に記憶されているブランドのアイコン（ジャンル毎のｎ件のブランドのアイコン）を検索画面に表示させる（ステップＳ３１４）。
【００４８】
その後、アイコン選択受付部１０９が、検索画面に表示された複数のブランドのアイコンの中からの任意のブランドのアイコンの選択を受け付けたか否かを判断する（ステップＳ３１６）。ここで、アイコンの選択を受け付けていないとアイコン選択受付部１０９が判断した場合（ステップＳ３１６：Ｎｏ）、アイコン選択受付部１０９が、ステップＳ３１６の判断処理を再度実行する。
【００４９】
一方、アイコンの選択を受け付けたとアイコン選択受付部１０９が判断した場合（ステップＳ３１６：Ｙｅｓ）、第２検索部１１０が、選択されたアイコンに対応するブランドの施設を、車両の現在位置の周辺から検索する（ステップＳ３１８）。そして、検索結果表示制御部１１１が、ステップＳ３１８で検索された施設をディスプレイ１１に表示させて（ステップＳ３２０）、表示制御装置１００は、図３に示す一連の処理を終了する。
【００５０】
〔第１検索部１０４による検索結果の一例〕
図４は、本発明の第１実施形態に係る第１検索部１０４による検索結果の一例を示す図である。図４は、一例として、第１検索部１０４によって車両の現在位置の周辺から検索された、ジャンル「コンビニ」の施設を示すものである。
【００５１】
このように第１検索部１０４によってジャンル「コンビニ」の施設が検索されると、ブランド決定部１０５が、検索された施設に対応するブランドの中から、所定の優先条件による優先度の高い順にｎ件のブランドを、検索画面にアイコンを表示させるブランドとして決定する。
【００５２】
図２（ａ）に示す検索画面設定情報では、ジャンル「コンビニ」に対するアイコンの表示件数ｎとして「２」が設定されている。このため、ブランド決定部１０５は、第１検索部１０４によって検索された「コンビニ」の施設に対応するブランドの中から、優先度の高い順に２件のブランドを、検索画面にアイコンを表示させるブランドとして決定する。
【００５３】
例えば、優先条件の第１例として、検索された施設の件数が多いブランドほど優先度が高くなる優先条件を用いた場合、図４では、ブランド「Ｌコンビニ」の件数が最も多い３件であり、ブランド「Ｆコンビニ」の件数が２番目に多い２件であることから、ブランド決定部１０５は、「Ｌコンビニ」，「Ｆコンビニ」を、検索画面にアイコンを表示させるブランドとして決定する。
【００５４】
また、優先条件の第２例として、現在位置からの距離が近い施設があるブランドほど優先度が高くなる優先条件を用いた場合、図４では、距離が近い順に「Ｓコンビニ」，「Ｆコンビニ」，「Ｌコンビニ」・・・が検索されているから、ブランド決定部１０５は、「Ｓコンビニ」，「Ｆコンビニ」を、検索画面にアイコンを表示させるブランドとして決定する。
【００５５】
また、優先条件の第３例として、駐車場が設けられている施設があるブランドほど優先度が高くなる優先条件を用いた場合、図４では、「Ｓコンビニ」，「Ｌコンビニ」に駐車場が設けられているから、ブランド決定部１０５は、「Ｓコンビニ」，「Ｌコンビニ」を、検索画面にアイコンを表示させるブランドとして決定する。
【００５６】
また、優先条件の第４例として、ユーザのお気に入りとして予め登録されているブランドほど優先度が高くなる優先条件を用いた場合、図２（ｂ）のお気に入り設定情報には、ジャンル「コンビニ」のお気に入りのブランドとして「Ｓコンビニ」，「Ｌコンビニ」が設定されているから、ブランド決定部１０５は、「Ｓコンビニ」，「Ｌコンビニ」を、検索画面にアイコンを表示させるブランドとして決定する。
【００５７】
〔検索画面の一例〕
図５は、本発明の第１実施形態に係る車載装置１０が表示する検索画面の一例を示す図である。図５に示す表示画面５００は、ディスプレイ１１に表示される表示画面の一例である。表示画面５００は、地図表示画面５１０と、検索画面５２０とを備えて構成されている。
【００５８】
地図表示画面５１０は、車両の現在位置周辺の地図が表示される。検索画面５２０は、車両の現在位置の周辺の施設を検索する際の検索条件を入力するための検索画面である。通常、表示画面５００には、地図表示画面５１０のみが全画面表示されている。検索画面５２０は、ユーザのタッチパネル１２の操作によって「ＰＯＩ」ボタン５３０が選択された場合に、表示画面５００に表示される。
【００５９】
図５に示す例では、検索画面５２０には、ブランド決定部１０５によって検索画面にアイコンを表示させるブランドとして決定された、８つのブランドのアイコン５２２Ａ〜５２２Ｈが表示されている。
【００６０】
図２（ａ）の検索画面設定情報では、ジャンル「コンビニ」，「ファミレス」，「回転寿司」の各々に対して、アイコンの表示件数ｎとして「２」が設定されている。また、ジャンル「ファーストフード」，「ガソリンスタンド」の各々に対して、アイコンの表示件数ｎとして「１」が設定されている。
【００６１】
この検索画面設定情報に基づき、図５に示す検索画面５２０には、以下のアイコン５２２Ａ〜５２２Ｈが表示されている。
・ジャンル「コンビニ」の２つアイコン５２２Ａ，５２２Ｂ
・ジャンル「ファーストフード」の１つアイコン５２２Ｃ
・ジャンル「ガソリンスタンド」の１つアイコン５２２Ｄ
・ジャンル「ファミレス」の２つアイコン５２２Ｅ，５２２Ｆ
・ジャンル「回転寿司」の２つアイコン５２２Ｇ，５２２Ｈ
【００６２】
このうち、ジャンル「コンビニ」のアイコン５２２Ａ，５２２Ｂは、第１検索部１０４によって車両の現在位置の周辺から検索されたジャンル「コンビニ」の複数の施設に対応する複数のブランドの中から、ブランド決定部１０５によって優先度の高いブランドとして決定された「Ｓコンビニ」，「Ｌコンビニ」のアイコンである。
【００６３】
また、ジャンル「ファーストフード」のアイコン５２２Ｃは、第１検索部１０４によって車両の現在位置の周辺から検索されたジャンル「ファーストフード」の複数の施設に対応する複数のブランドの中から、ブランド決定部１０５によって優先度の高いブランドとして決定された「Ｍハンバーガー」のアイコンである。
【００６４】
また、ジャンル「ガソリンスタンド」のアイコン５２２Ｄは、第１検索部１０４によって車両の現在位置の周辺から検索されたジャンル「ガソリンスタンド」の複数の施設に対応する複数のブランドの中から、ブランド決定部１０５によって優先度の高いブランドとして決定された「Ｅガソリン」のアイコンである。
【００６５】
また、ジャンル「ファミレス」のアイコン５２２Ｅ，５２２Ｆは、第１検索部１０４によって車両の現在位置の周辺から検索されたジャンル「ファミレス」の複数の施設に対応する複数のブランドの中から、ブランド決定部１０５によって優先度の高いブランドとして決定された「Ｇファミレス」，「Ｃファミレス」のアイコンである。
【００６６】
また、ジャンル「回転寿司」のアイコン５２２Ｇ，５２２Ｈは、第１検索部１０４によって車両の現在位置の周辺から検索されたジャンル「回転寿司」の複数の施設に対応する複数のブランドの中から、ブランド決定部１０５によって優先度の高いブランドとして決定された「Ｋ寿司」，「Ｓ寿司」のアイコンである。
【００６７】
ユーザのタッチパネル１２の操作により、アイコン５２２Ａ〜５２２Ｈのいずれかが選択されると、第２検索部１１０が、選択されたアイコンに対応するブランドの施設を、車両の現在位置の周辺から検索する。その結果、検索結果表示制御部１１１によって、第２検索部１１０によって検索された施設がディスプレイ１１に表示されるようになる。
【００６８】
アイコン５２２Ａ〜５２２Ｈは、いずれも、車両の現在位置の周辺に実際に施設が存在するブランドのアイコンである。したがって、いずれのアイコンをユーザが選択したとしても、選択したアイコンに対応するブランドの施設の検索結果が０件になるということはない。
【００６９】
以上説明したとおり、本発明の第１実施形態によれば、車両の現在位置の周辺に施設が存在するブランドのアイコンのみが検索画面５２０に表示されるようになる。したがって、本発明の第１実施形態によれば、車両の現在位置の周辺に施設が存在しないブランドのアイコンをユーザが無駄に選択してしまうことを防止することができる。
【００７０】
特に、本発明の第１実施形態によれば、ユーザが指定したジャンル毎に、ユーザがお気に入りのブランド（上記した第４例の優先条件を用いた場合）や、ユーザにとって利便性の高い施設があるブランド（上記した第１例〜第３例の優先条件を用いた場合）を、優先的に検索画面５２０に表示させることができる。したがって、本発明の第１実施形態によれば、ユーザが実際に利用する可能性の高い施設が検索されるようなブランドのアイコンを、検索画面５２０に表示させることができる。
【００７１】
また、本発明の第１実施形態によれば、車両の現在位置がある所定単位の地域が切り替わるごとに、その切り替え後の地域に施設が存在するブランドの中から、検索画面にアイコンを表示させるブランドが決定される。したがって、一部の地域にしか施設が存在しないようなブランドのアイコンが、車両が別の地域にいるときに検索画面に表示されてしまう（すなわち、検索結果が０件となるブランドのアイコンが検索画面に表示されてしまう）ことを防止することができる。
【００７２】
〔第２実施形態〕
次に、図６〜７を参照して、本発明の第２実施形態について説明する。第１実施形態では、検索画面に表示させるブランドをバックグラウンド処理で予め決定して、ブランド記憶部１０６に記憶させておき、検索画面表示指示受付部１０７が検索画面の表示指示を受け付けたタイミングで、そのときにブランド記憶部１０６に記憶されているブランドのアイコンを検索画面に表示するようにしている。この第２実施形態では、検索画面表示指示受付部１０７が検索画面の表示指示を受け付けたタイミングで、検索画面に表示させるブランドを決定し、決定されたブランドのアイコンを検索画面に表示する方法を採用している。
【００７３】
図６は、本発明の第２実施形態に係る車載装置１０’の機能構成例を示すブロック図である。図６に示す車載装置１０’は、表示制御装置１００’において、ブランド記憶部１０６を備えていない点、第１検索部１０４の代わりに第１検索部１０４’を備える点、アイコン表示制御部１０８の代わりにアイコン表示制御部１０８’を備える点で、第１実施形態の車載装置１０（図１参照）と異なる。
【００７４】
第１検索部１０４’は、検索画面表示指示受付部１０７が検索画面の表示指示を受け付けたことをトリガとして、特定部１０３によって特定されたジャンル毎に、車両の現在位置の周辺の施設を検索する。これに応じて、ブランド決定部１０５が、特定部１０３によって特定されたジャンル毎に、第１検索部１０４’によって検索された施設に対応するブランドの中から、所定の優先条件による優先度の高い順に、特定部１０３によって特定された表示件数ｎ件のブランドを、検索画面にアイコンを表示させるブランドとして決定する。そして、アイコン表示制御部１０８’が、特定部１０３によって特定されたジャンル毎に、ブランド決定部１０５によって決定された表示件数ｎ件のブランドのアイコンを検索画面に表示させる。
【００７５】
〔表示制御装置１００’による処理の一例〕
図７は、本発明の第２実施形態に係る表示制御装置１００’による処理の一例を示すフローチャートである。図７に示す処理は、例えば、表示制御装置１００’の電源がＯＮに切り替えられたタイミングで実行される。
【００７６】
まず、特定部１０３が、検索画面にアイコンを表示させるジャンルと、各ジャンルのアイコンの表示件数ｎとを、検索画面設定記憶部１５に記憶されている検索画面設定情報に基づいて特定する（ステップＳ７０２）。
【００７７】
その後、検索画面表示指示受付部１０７が、検索画面の表示指示を受け付けたか否かを判断する（ステップＳ７０４）。ここで、検索画面の表示指示を受け付けていないと検索画面表示指示受付部１０７が判断した場合（ステップＳ７０４：Ｎｏ）、検索画面表示指示受付部１０７が、ステップＳ７０４の判断処理を再度実行する。
【００７８】
一方、検索画面の表示指示を受け付けたと検索画面表示指示受付部１０７が判断した場合（ステップＳ７０４：Ｙｅｓ）、第１検索部１０４’が、ステップＳ７０２で特定されたジャンル毎に、車両の現在位置の周辺の施設を検索する（ステップＳ７０６）。
【００７９】
次に、ブランド決定部１０５が、ステップＳ７０２で特定されたジャンル毎に、ステップＳ７０６で検索された施設に対応するブランドの中から、所定の優先条件による優先度の高い順に、ステップＳ７０２で特定された表示件数ｎ件のブランドを、検索画面にアイコンを表示させるブランドとして決定する（ステップＳ７０８）。
【００８０】
そして、アイコン表示制御部１０８’が、ステップＳ７０８で決定されたブランドのアイコン（ジャンル毎のｎ件のブランドのアイコン）を検索画面に表示させる（ステップＳ７１０）。
【００８１】
その後、アイコン選択受付部１０９が、検索画面に表示された複数のブランドのアイコンの中からの任意のブランドのアイコンの選択を受け付けたか否かを判断する（ステップＳ７１２）。ここで、アイコンの選択を受け付けていないとアイコン選択受付部１０９が判断した場合（ステップＳ７１２：Ｎｏ）、アイコン選択受付部１０９が、ステップＳ７１２の判断処理を再度実行する。
【００８２】
一方、アイコンの選択を受け付けたとアイコン選択受付部１０９が判断した場合（ステップＳ７１２：Ｙｅｓ）、第２検索部１１０が、選択されたアイコンに対応するブランドの施設を、車両の現在位置の周辺から検索する（ステップＳ７１４）。そして、検索結果表示制御部１１１が、ステップＳ７１８で検索された施設をディスプレイ１１に表示させて（ステップＳ７１６）、表示制御装置１００’は、図７に示す一連の処理を終了する。
【００８３】
以上説明したとおり、本発明の第２実施形態によれば、検索画面の表示指示がなされて実際に検索画面を表示させるときに、その時の車両の現在位置の周辺に施設が存在するブランドの中から、検索画面にアイコンを表示させるアイコンが決定される。したがって、所定単位の同一の地域内（例えば、同一県内）を車両が長距離移動した後であっても、車両の現在位置の周辺に施設が存在しないようなブランドのアイコンが検索画面に表示されてしまう（すなわち、検索結果が０件となるブランドのアイコンが検索画面に表示されてしまう）ことを防止することができる。
【００８４】
〔第３実施形態〕
次に、図８〜１０を参照して、本発明の第３実施形態について説明する。この第３実施形態では、検索画面に表示させるブランドの再決定を行うタイミングを、ジャンル毎に異ならせる方法を採用している。
【００８５】
図８は、本発明の第３実施形態に係る車載装置１０’’の機能構成例を示すブロック図である。図８に示す車載装置１０’’は、表示制御装置１００’’において、第１検索部１０４の代わりに第１検索部１０４’’を備える点で、第１実施形態の車載装置１０（図１参照）と異なる。また、車載装置１０’’は、ジャンル別条件記憶部１７をさらに備える点で、第１実施形態の車載装置１０と異なる。
【００８６】
ジャンル別条件記憶部１７は、ジャンル別条件を記憶する。ジャンル別条件は、検索画面に表示させるブランドの再決定処理を行うタイミングが、ジャンル毎に示された情報である。なお、ジャンル別条件の詳細については、図９を用いて後述する。
【００８７】
第１検索部１０４’’は、車両の現在位置がある地域が切り替わったか否かを判断する。そして、第１検索部１０４’’は、車両の現在位置がある地域が切り替わったと判断した場合、ジャンル別条件記憶部１７に記憶されているジャンル別条件に基づいて、特定部１０３によって特定されたジャンルのうち、切り替わった地域の単位に対応付けられているジャンルを、再決定処理の対象のジャンルとして特定する。さらに、第１検索部１０４’’は、再決定処理の対象として特定したジャンル毎に、車両の現在位置の周辺の施設を再検索する。
【００８８】
これに応じて、ブランド決定部１０５が、特定部１０３によって特定されたジャンル毎に、第１検索部１０４’’によって再検索された施設に対応するブランドの中から、所定の優先条件による優先度の高い順に、特定部１０３によって特定された表示件数ｎ件のブランドを、検索画面にアイコンを表示させるブランドとして再決定する。そして、ブランド記憶部１０６が、特定部１０３によって特定されたジャンル毎に、ブランド決定部１０５によって再決定されたｎ件（ｎ＝特定部１０３によって特定された件数）のブランドを記憶する。
【００８９】
〔ジャンル別条件の一例〕
図９は、本発明の第３実施形態に係るジャンル別条件記憶部１７に記憶されているジャンル別条件の一例を示す図である。図９に示すように、ジャンル別条件には、検索画面に表示させるブランドの再決定を行うタイミングとして、地域に関する単位が、ジャンル毎に設定されている。
【００９０】
例えば、図９に示す例では、ジャンル「コンビニ」，「ファーストフード」，「ガソリンスタンド」，「ファミレス」，「回転寿司」の各々に対して、「県」が設定されている。これは、車両の現在位置がある「県」が切り替わったタイミングで、検索画面に表示させるブランドの再決定を行うことを意味する。
【００９１】
一方、図９に示す例では、ジャンル「スーパーマーケット」に対して、「市区町村」が設定されている。これは、車両の現在位置がある「市区町村」が切り替わったタイミングで、検索画面に表示させるブランドの再決定を行うことを意味する。このように、「スーパーマーケット」だけ「市区町村」が設定されているのは、「スーパーマーケット」は、その同一ブランドの施設の分布範囲が比較的狭いからである。
【００９２】
〔表示制御装置１００’’による処理の一例〕
図１０は、本発明の第３実施形態に係る表示制御装置１００’’による処理の一例を示すフローチャートである。図１０に示す処理は、例えば、表示制御装置１００’’の電源がＯＮに切り替えられたタイミングで実行される。
【００９３】
まず、特定部１０３が、検索画面にアイコンを表示させるジャンルと、各ジャンルのアイコンの表示件数ｎとを、検索画面設定記憶部１５に記憶されている検索画面設定情報に基づいて特定する（ステップＳ９０２）。次に、第１検索部１０４’’が、ステップＳ９０２で特定されたジャンル毎に、現在位置の周辺の施設を検索する（ステップＳ９０４）。
【００９４】
次に、ブランド決定部１０５が、ステップＳ９０２で特定されたジャンル毎に、ステップＳ９０４で検索された施設に対応するブランドの中から、所定の優先条件による優先度の高い順に、ステップＳ９０２で特定された表示件数ｎ件のブランドを、検索画面にアイコンを表示させるブランドとして決定する（ステップＳ９０６）。
【００９５】
そして、ブランド記憶部１０６が、ステップＳ９０２で特定されたジャンル毎に、ステップＳ９０６でブランド決定部１０５によって決定されたｎ件のブランドを記憶する（ステップＳ９０８）。
【００９６】
その後、第１検索部１０４’’が、車両の現在位置がある地域が切り替わったか否かを判断する（ステップＳ９１０）。ここで、車両の現在位置がある地域が切り替わったと第１検索部１０４が判断した場合（ステップＳ９１０：Ｙｅｓ）、第１検索部１０４’’が、ジャンル別条件記憶部１７に記憶されているジャンル別条件に基づいて、切り替わった地域の単位に対応付けられているジャンルを特定する（ステップＳ９１２）。そして、表示制御装置１００’’は、ステップＳ９１２で特定されたジャンルを対象として、ステップＳ９０４〜Ｓ９０８の処理を再度実行する。
【００９７】
例えば、図９に示すジャンル別条件によれば、車両の現在位置がある「県」が切り替わった場合、表示制御装置１００’’は、ジャンル「コンビニ」，「ファーストフード」，「ガソリンスタンド」，「ファミレス」，「回転寿司」を対象として、ステップＳ９０４〜Ｓ９０８の処理を再度実行する。また、車両の現在位置がある「市区町村」が切り替わった場合、表示制御装置１００’’は、ジャンル「スーパーマーケット」を対象として、ステップＳ９０４〜Ｓ９０８の処理を再度実行する。
【００９８】
一方、車両の現在位置がある地域が切り替わっていないと第１検索部１０４が判断した場合（ステップＳ９１０：Ｎｏ）、検索画面表示指示受付部１０７が、検索画面の表示指示を受け付けたか否かを判断する（ステップＳ９１４）。
【００９９】
ここで、検索画面の表示指示を受け付けていないと検索画面表示指示受付部１０７が判断した場合（ステップＳ９１４：Ｎｏ）、表示制御装置１００は、ステップＳ９１０以降の処理を再度実行する。一方、検索画面の表示指示を受け付けたと検索画面表示指示受付部１０７が判断した場合（ステップＳ９１４：Ｙｅｓ）、アイコン表示制御部１０８が、そのときにブランド記憶部１０６に記憶されているブランドのアイコン（ジャンル毎のｎ件のブランドのアイコン）を検索画面に表示させる（ステップＳ９１６）。
【０１００】
その後、アイコン選択受付部１０９が、検索画面に表示された複数のブランドのアイコンの中からの任意のブランドのアイコンの選択を受け付けたか否かを判断する（ステップＳ９１８）。ここで、アイコンの選択を受け付けていないとアイコン選択受付部１０９が判断した場合（ステップＳ９１８：Ｎｏ）、アイコン選択受付部１０９が、ステップＳ９１８の判断処理を再度実行する。
【０１０１】
一方、アイコンの選択を受け付けたとアイコン選択受付部１０９が判断した場合（ステップＳ９１８：Ｙｅｓ）、第２検索部１１０が、選択されたアイコンに対応するブランドの施設を、車両の現在位置の周辺から検索する（ステップＳ９２０）。そして、検索結果表示制御部１１１が、ステップＳ９１８で検索された施設をディスプレイ１１に表示させて（ステップＳ９２２）、表示制御装置１００’’は、図１０に示す一連の処理を終了する。
【０１０２】
以上説明したとおり、本発明の第３実施形態によれば、各ジャンルについて、
同一ブランドの施設の分布範囲に応じた適切な地域単位で、検索画面にアイコンを表示させるブランドの再決定処理が行われるようになる。
【０１０３】
すなわち、同一ブランドの施設の分布範囲が比較的広いジャンル（例えば、「コンビニ」，「ファーストフード」，「ガソリンスタンド」，「ファミレス」，「回転寿司」）については、再決定処理が行われる頻度が少なくなるため、表示制御装置１００’’にかかる負荷を抑制することができる。
【０１０４】
一方、同一ブランドの施設の分布範囲が比較的狭いジャンル（例えば、「スーパーマーケット」）については、再決定処理が行われる頻度が多くなるため、車両の現在位置の周辺に施設が存在しないようなブランドのアイコンが検索画面に表示されてしまう（すなわち、検索結果が０件となるブランドのアイコンが検索画面に表示されてしまう）ことを防止することができる。
【０１０５】
なお、上記各実施形態では、検索画面にアイコンを表示させるブランドをジャンル毎に決定するようにしているが、本発明はこれに限らない。例えば、ジャンルを区別することなく、車両の現在位置の周辺の施設を検索して、検索された施設に対応するブランドの中から、検索画面にアイコンを表示させるブランドを決定するようにしてもよい。なお、検索画面にアイコンを表示させるブランドをジャンル毎に決定する場合、および、ジャンルを区別することなく決定する場合のいずれも、検索画面にアイコンを表示させるブランドを、所定の優先条件に従って決定してもよく、所定の優先条件によらずにランダムに決定してもよい。
【０１０６】
また、上記第１実施形態，第３実施形態では、車両の現在位置がある地域が切り替わる毎に、検索画面にアイコンを表示させるブランドを再決定するようにしているが、本発明はこれに限らない。例えば、車両が所定距離を走行する毎に、検索画面にアイコンを表示させるブランドを再決定するようにしてもよい。この場合、ジャンル毎に、所定距離を異ならせるようにしてもよい。
【０１０７】
また、上記各実施形態では、第１検索部１０４，１０４’，１０４’’は、特定部１０３によって特定されたジャンル毎に、車両の現在位置の周辺の施設を検索しているが、本発明はこれに限らない。例えば、第１検索部１０４，１０４’，１０４’’は、ジャンルを区別することなく、車両の現在位置の周辺の施設を検索するようにしてもよい。
【０１０８】
また、図２（ａ）に示す例では、お気に入り設定情報には、お気に入りのブランドがジャンル毎に設定されているが、本発明はこれに限らない。例えば、お気に入り設定情報には、ジャンルを区別することなくお気に入りのブランドが設定されてもよい。
【０１０９】
また、上記各実施形態において、ブランド決定部によって決定されたブランドのアイコンが表示された検索画面５２０（図５参照）と、ユーザが予め設定しておいたお気に入りのブランドのアイコンが表示された検索画面とを、切り替えて表示できるようにしてもよい。ユーザの生活圏内（例えば、ユーザの自宅周辺）においては、ユーザが普段お気に入りのブランドの施設が車両の現在位置の周辺に存在する可能性が高いため、後者の検索画面が有効である。一方、ユーザの生活圏外（例えば、旅行先）においては、ユーザが普段お気に入りのブランドの施設が車両の現在位置の周辺に存在する可能性が低くなるため、前者の検索画面５２０が有効である。
【０１１０】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【０１１１】
１０，１０’，１０’’  車載装置
１１  ディスプレイ
１２  タッチパネル
１３  地図データ記憶部
１４  位置検出装置
１５  検索画面設定記憶部
１６  お気に入り設定記憶部
１７  ジャンル別条件記憶部
１００，１００’，１００’’  表示制御装置
１０１  検索画面設定登録部
１０２  お気に入り設定登録部
１０３  特定部
１０４，１０４’，１０４’’  第１検索部
１０５  ブランド決定部
１０６  ブランド記憶部
１０７  検索画面表示指示受付部
１０８，１０８’  アイコン表示制御部
１０９  アイコン選択受付部
１１０  第２検索部
１１１  検索結果表示制御部
【図１】
0006479582.tif 000002
【図２】
0006479582.tif 000003
【図３】
0006479582.tif 000004
【図４】
0006479582.tif 000005
【図５】
0006479582.tif 000006
【図６】
0006479582.tif 000007
【図７】
0006479582.tif 000008
【図８】
0006479582.tif 000009
【図９】
0006479582.tif 000010
【図１０】
0006479582.tif 000011